【事件の表示】
　特許第３３０９１５６号「カード式パチンコ機」の請求項１に係る特許に対する特許異議の申立てについて、次のとおり決定する。
【結　論】
　訂正を認める。
　特許第３３０９１５６号の請求項１に係る特許を取り消す。
【理　由】
１．手続の経緯
　特許第３３０９１５６号の請求項１に係る発明についての出願は、平成３年４月２３日にされた特許出願（特願平３−１１９３３７号）の一部が、特許法第４４条の規定により新たな出願（特願平１０−１０１４５８号）とされたものであって、平成１４年５月２４日にその発明について特許の設定登録がなされ、その後、その特許について、異議申立人細江裕実により特許異議の申立てがなされ、取消しの理由が通知され、その指定期間内である平成１５年８月２７日に訂正請求がなされたものである。
　
２．訂正の適否についての判断
　
ア．訂正の内容
（ａ）訂正事項ａ．
特許請求の範囲の請求項１を、
「【請求項１】　カード制御回路と交信可能に接続されるパチンコ機制御回路を備え、少なくとも遊技媒体の貸出可能金額データからなる遊技情報の書込部を備えた遊技用のカードを使用したカード式パチンコ機であって、前記カードの前記書込部に書き込まれた貸出可能金額データを、予め定められた設定モード金額単位で遊技媒体の数量に変換するための貸出信号を発生させる前記カード制御回路に接続された球貸スイッチと、
　前記パチンコ機制御回路と接続された貸球賞球排出装置と、
　前記貸出信号の発生に基いて前記貸出可能金額データの総額に対応する遊技媒体数に変換された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する前記カード制御回路と、
　前記貸球賞球排出装置が遊技球の排出準備を完了させているか否かを判定し、排出準備を完了させていると判定した場合に、貸出スイッチの操作によって発生し、入力される前記球貸信号の受信に基いて、前記カード制御回路にＢＵＳＹ信号を出力する一方、貸球を前記貸球賞球排出装置により排出し、排出処理動作が終了したと判定すると前記ＢＵＳＹ信号の発生を停止する前記パチンコ機制御回路と、
　上記カードの返却用スイッチを備え、
　上記球貸スイッチ及び返却スイッチは、パチンコ機側に設けられることを特徴とするカード式パチンコ機。」と訂正する。
　
（ｂ）訂正事項ｂ．
発明の詳細な説明中段落【０００７】を
「【０００７】
　この球貸信号はカード制御回路９からパチンコ機制御回路１０を介して貸球賞球排出装置１１に入力され、貸球賞球排出装置１１は、所定数の遊技球を貸し出しのために受け皿に払い出す。これにより遊技者は、球発射装置１３の操作によって遊技を進行させることができ、同様の操作を繰り返すことにより遊技を継続させながら遊技球を補給できる。上述したようにカード制御回路９による換球演算は、上記設定モード金額単位でなされるのであるが、設定モード金額は現在、最低単位が一般に１００円／２５球に定められている。他方、球発射装置１３には１分間に１００発程度の遊技球を打ち出す機能が備えられていることから、最低単位の設定モード金額すなわち１００円／２５球分用の球貸スイッチ８の操作により得た遊技球で遊技し、遊技中に賞品球が得られない場合、この遊技は僅か１５秒程度で終了する。この時間は、遊技者が球発射装置１３を所望打球力の調整に要する程度であることから、１００円／２５球分用の球貸スイッチ８が設けられていることはきわめて稀である。このため球貸スイッチ８は一般に２００円／５０球分用、３００円／７５球分用、４００円／１００球分用および５００円／１２５球分用などのいずれかを任意にまたは複数種の球貸スイッチ８をパチンコ機４に設けている。」と訂正する。
　
（ｃ）訂正事項ｃ．
発明の詳細な説明中段落【００１０】を、
「【００１０】
　本発明は上記目的を達成するために、カード制御回路と交信可能に接続されるパチンコ機制御回路を備え、少なくとも遊技媒体の貸出可能金額データからなる遊技情報の書込部を備えた遊技用のカードを使用したカード式パチンコ機であって、前記カードの前記書込部に書き込まれた貸出可能金額データを、予め定められた設定モード金額単位で遊技媒体の数量に変換するための貸出信号を発生させる前記カード制御回路に接続された球貸スイッチと、前記パチンコ機制御回路と接続された貸球賞球排出装置と、前記貸出信号の発生に基いて前記貸出可能金額データの総額に対応する遊技媒体数に変換された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する前記カード制御回路と、前記貸球賞球排出装置が遊技球の排出準備を完了させているか否かを判定し、排出準備を完了させていると判定した場合に、貸出スイッチの操作によって発生し、入力される前記球貸信号の受信に基いて、前記カード制御回路にＢＵＳＹ信号を出力する一方、貸球を前記貸球賞球排出装置により排出し、排出処理動作が終了したと判定すると前記ＢＵＳＹ信号の発生を停止する前記パチンコ機制御回路と、上記カードの返却用スイッチを備え、上記球貸スイッチ及び返却スイッチは、パチンコ機側に設けられることを特徴とする。」と訂正する。
　
（ｄ）訂正事項ｄ．
発明の詳細な説明中段落【００１１】を、
「【００１１】
　本発明の構成によれば、カード式パチンコ機に使用される遊技用のカードは、遊技媒体の貸出可能金額データからなる遊技情報の書込部を有し、貸出スイッチにより前記カードの書込部に書き込まれた貸出可能金額データを、予め定められた設定モード金額単位で遊技媒体の数量に変換するための貸出信号を発生させ、この貸出信号の発生に基いて前記貸出可能金額データの総額に対応する遊技媒体数に変換された球貸信号が発生されている場合にカードの返却スイッチが操作されると、前記パチンコ機制御回路が前記カード制御回路からの前記球貸信号を受信してからＢＵＳＹ信号を出力するまでの時間と、前記カード制御回路が前記パチンコ機制御回路からの前記ＢＵＳＹ信号を受信するまでの時間との和よりも、長く定められた時間を設定するカード制御回路が設けられる。パチンコ機制御回路は、前記貸出要求信号の発生または入賞の検出に基いて貸出用遊技媒体または賞品用遊技媒体を排出制御する。上記貸出スイッチ及び返却スイッチを、ブラックボックス側でなくパチンコ機側に設けられ、遊技者の利用を便利にする。」と訂正する。
　
　
イ．訂正の目的の適否、新規事項の有無、及び拡張・変更の存否
　
  上記訂正事項（ａ）は、訂正前明細書の記載に基き、請求項１の「貸出可能金額データを遊技媒体に変換する前記カード制御回路」を「貸出可能金額データの総額に対応する遊技媒体数に変換された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する前記カード制御回路」としたものであり、この訂正は、「カード制御回路」を更に限定するものであって、特許請求の範囲の減縮を目的とするものであり、これらの限定は明細書に記載されていた事項である。
　
　また、上記訂正事項（ｃ）（ｄ）は、上記訂正に伴い、これらと整合を図るために、発明の詳細な説明を訂正するものであるから、明りょうでない記載の釈明を目的とするものであり、明細書に記載されていた事項である。
更に、（ｂ）は明らかな誤記の訂正である。
　
ウ．むすび
　したがって、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項及び第３項の規定に適合するので、当該訂正を認める。
　
　
３．特許異議の申立についての判断
　
（１）「本件発明」
　上記２．で示したように上記訂正が認められるから、本件の請求項１に係る発明（以下、「本件発明」という。）は、上記訂正に係る訂正明細書の特許請求の範囲の請求項１に記載された次の事項により特定されるとおりのものである。
　
「【請求項１】　カード制御回路と交信可能に接続されるパチンコ機制御回路を備え、少なくとも遊技媒体の貸出可能金額データからなる遊技情報の書込部を備えた遊技用のカードを使用したカード式パチンコ機であって、前記カードの前記書込部に書き込まれた貸出可能金額データを、予め定められた設定モード金額単位で遊技媒体の数量に変換するための貸出信号を発生させる前記カード制御回路に接続された球貸スイッチと、
　前記パチンコ機制御回路と接続された貸球賞球排出装置と、
　前記貸出信号の発生に基いて前記貸出可能金額データの総額に対応する遊技媒体数に変換された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する前記カード制御回路と、
　前記貸球賞球排出装置が遊技球の排出準備を完了させているか否かを判定し、排出準備を完了させていると判定した場合に、貸出スイッチの操作によって発生し、入力される前記球貸信号の受信に基いて、前記カード制御回路にＢＵＳＹ信号を出力する一方、貸球を前記貸球賞球排出装置により排出し、排出処理動作が終了したと判定すると前記ＢＵＳＹ信号の発生を停止する前記パチンコ機制御回路と、
　上記カードの返却用スイッチを備え、
　上記球貸スイッチ及び返却スイッチは、パチンコ機側に設けられることを特徴とするカード式パチンコ機。」
　
（２）先願及び周知技術文献
先願１：特願平３−７３３８４号（特開平４−３０９３９１号）
　
周知例１：特開昭５２−２７３２２号公報（特許異議申し立てにおける甲第２号証）
　
周知例２：特開平２−２６４５５８号公報（同甲第３号証）
　
周知例３：特開平１−２２１１８７号
　
２−１．先願１
　　本件の出願日前の他の出願であって、その出願日後に出願公開された先願である特願平３−７３３８４号（特開平４−３０９３９１号）の願書に最初に添付された明細書又は図面（以下、「先願明細書」という）には、図面とともに以下の事項が記載されている。
　
(記載１．) 「パチンコ遊技機６０の左右方向一側部（図面では左側）にはカード処理機６２がパチンコ遊技機６０に対し分離可能な状態で設けられている。」（第３欄第７−９行）
　
(記載２．) 「カード処理機６２にはカードリーダライタが設けられたカードリーダライタ制御部１３４が設けられており、カード挿入・排出口１３３からカードを挿入すればそのカードに記録されている記録情報がこのカードリーダライタにより読取れる。その読取られたカード情報に含まれている挿入時のカード残額が挿入時残高表示器１３１により表示される。・・・このカード処理機６２にはＣＰＵ，ＲＯＭ，ＲＡＭ等が内蔵されたカード処理機制御部１３５が設けられており、このカード処理機制御部１３５よりカード処理機６２全体が制御される。」（第３欄第１２−２３行）
　
(記載３．) 「遊技者がこの玉貸可ＬＥＤ（玉貸可表示器）４８ｄの点灯していることを確認して玉貸ボタン４４ｃを押圧操作する。すると、後述するたとえばロータリスイッチ等からなる貸玉額設定スイッチ１３７によって予め設定されている一回の玉貸操作により払出される貸玉額（以下、単に貸玉額という）分の遊技玉（パチンコ玉）が打球供給皿５９内に払出される。この貸玉額分の払出が終了するまでは玉貸可ＬＥＤ（玉貸可表示器）４８ｄが消灯する。」（第３欄第３１−４０行）
　
(記載４．) 「図中４２ｃは返却ボタンであり、・・・この返却ボタン４２ｃが遊技者によって押圧操作されることにより、カード処理機６２内に挿入されているカードがカード挿入・排出口１３３から遊技者側に返却される。」（第３欄第４３−４８行）
　
(記載５．) 「カード処理機６２のカード処理機制御部１３５に接続されている配線がパチンコ遊技機６０に設けられている中継端子基板１３８にコネクタ１３９により接続され、カード処理機制御部１３５と中継端子基板１３８とが配線により互いに情報の送受信ができるようになっている。またこの中継端子基板１３８には、払出制御基板ボックス１４５内に収納されている払出制御基板，ゲーム制御基板ボックス１４８内に収納されているゲーム制御基板，遊技機用ターミナルボックス１４９，投受光器制御基板７０が、それぞれコネクタ１４１，１４４，１４３，１４２を介して接続される。」（第５欄第２１−３１行）
　
(記載６．) 「カード処理機６２の裏面側には、１回の玉貸操作により払出される貸玉額を予め入力設定するための貸玉額設定スイッチ１３７が設けられており、図示するように、１００円，２００円，３００円，４００円，５００円の５種類の金額が入力設定できるようになっている。たとえば遊技場の係員により図示のように貸玉額が３００円に設定されればその３００円が貸玉額としてカード処理機制御部１３５のマイクロコンピュータ３００（図１９参照）に記憶される。そして、遊技者がカードをカード挿入・排出口１３３に挿入し、玉貸ボタン４４ｃを押圧操作することにより自動的にこの貸玉額（３００円）分のパチンコ玉が打球供給皿５９内に払出されカード残額から減額されることになる。」（第５欄第４１行−第６欄第３行）
　
(記載７．) 「玉貸ボタン４４ｃを押圧操作することにより玉貸スイッチ（玉貸操作検出器）４４ｄがＯＮになる」（第１１欄第４８−５０行）
　
（記載８．）「【００６５】図１９は、カード処理機制御部の制御回路を示すブロック図である。
【００６６】カード処理機制御部１３５（図２参照）にはカード処理機制御用マイクロコンピュータ３００が組込まれている。」（第２０欄第１１-１５行）
　
（記載９．）「【００７５】図２０は、払出制御基板ボックス１４５（図２参照）に収納されている払出制御基板の払出制御回路を示すブロック図である。
【００７６】払出制御回路には払出制御用マイクロコンピュータ３５０が設けられている。」（第２２欄第６−１０行）
（記載１０．) 「遊技者が玉貸ボタン４４ｃ（図１参照）を押圧操作すれば、Ｓ１３に進み、挿入カードの現在残高すなわちカード残高表示器５０（図１参照）に表示されている残高が貸玉額設定スイッチ１３７（図２参照）で設定された設定額以上であるか否かの判断が行なわれる。そして、現在残高が設定額以上であった場合にはＳ１４により貸玉額にその設定額をセットする処理がなされてＳ１６に進む。」（第２５欄第３４−４１行）
　
（記載１１．）「次にＳ１６では、玉貸可表示機４８ｄ（図１参照）を消灯する処理がなされる。一旦玉貸操作がなされてそれに基づく玉貸動作が完了するまでは次の球貸操作を受付ないようにしているために、後述するＳ４０により玉貸可表示機が点灯されるまでは玉貸可表示器４８ｄを消灯して玉貸操作ができない旨を表示するのである。次にＳ１７に進み、払出制御用マイクロコンピュータに玉貸要求信号の出力を開始する制御がなされる。」（第２５欄第４９行−第２６欄第６行）
　
（記載１２．）「次にＳ１８に進み、タイマＴ１がセットされ、Ｓ１９に進み、払出制御用マイクロコンピュータから玉貸準備信号が入力されたか否かの判断がなされる。払出制御用マイクロコンピュータでは、Ｓ１７による玉貸し要求信号を受けて、玉貸が可能な状態であれば玉貸のための準備制御を行った後にＳ５５によりカード処理機制御用マイクロコンピュータに玉貸準備信号を出力する処理がなされる。カード処理機制御用マイクロコンピュータがＳ１８によりセットされたタイマＴ１が終了する以前にこの玉貸準備信号を受信すれば、Ｓ１９によりＹＥＳ判断がなされ、払出制御用マイクロコンピュータの玉貸が終了した旨の信号の送信を待機する処理がなされる。」（第２６欄第７−１８行）
　
（記載１３．）「一方、このＴ１が終了する以前でかつ払出制御用マイクロコンピュータから玉貸準備信号の入力がなくかつ遊技者が返却ボタン４２ｃを押圧操作した場合には、Ｓ２３に進み、タイマＴ２がセットされる。」（第２６欄第３０−３３行）
　
（記載１４．）「タイマＴ２が終了するまで払出制御用マイクロコンピュータから玉貸準備信号の入力がなかった場合にはＳ２６に進み、挿入カードの返却を行うための制御が行なわれる。このタイマＴ２はたとえば数百ｍｓｅｃ程度の時間であり、返却操作ボタン４２ｃ（図１参照）が押圧操作された後Ｔ２（数百ｍｓｅｃ）の間に球貸準備信号が払出制御用マイクロコンピュータからカード処理機制御用マイクロコンピュータに入力されないことを確認したうえでＳ２６以降の返却動作に移行する。このように、返却ボタンが押圧操作された後実際に挿入カードの返却動作を行うまでにＴ２のタイムラグを設けることにより、パチンコ遊技機側の球貸し動作と返却ボタンの返却操作とが同一のタイミングで行われた場合に玉貸が行われたにもかかわらず挿入カードが返却されてしまい、カード残高の減額更新をしなければならないカードが既に返却されてしまっているという不都合を防止できる利点がある。」（第２６欄第３８行−第２７欄第４行）
　
（記載１５．）「Ｓ２４により払出制御用マイクロコンピュータから玉貸準備信号の入力があったと判断された場合にはＳ２９に進み、返却可能表示機４６ｄが消灯されて返却操作ができない旨を表示し、Ｓ３０に進み、タイマＴ３がセットされる。このタイマＴ３は、パチンコ遊技機側での貸玉の払出に要する時間を考慮してたとえば１０ｓｅｃ程度に設定されている。このタイマＴ３が終了する以前において払出制御用マイクロコンピュータから貸玉完了信号の入力があった場合にはＳ３５に進むが、このタイマＴ３が終了したとしても貸玉完了信号の入力がなかった場合にはＳ３３に進み、玉貸し異常をカード残高表示器５０（図１参照）によりコードで表示する処理が行なわれ、・・・」（第２７欄第１７-２９行）
　
（記載１６．）「Ｔ３が終了する以前に払出制御用マイクロコンピュータから玉貸完了信号が入力されればＳ３５により、現在残高から単位額を減算し、貸玉額から単位額を減算する処理がなされる。払出制御用マイクロコンピュータから玉貸完了信号が入力されたということは、パチンコ遊技機側で単位額（たとえば１００円）に相当するパチンコ玉が貸出されたことを意味するために、その貸出されたパチンコ玉に相当する金額である単位額を、挿入カードの現在残高から減算するとともにＳ１４、Ｓ１５でセットされた貸玉額からその単位額を減算するのである。」（第２７欄第３９-４９行）
　
（記載１７．）「次にＳ３７に進み、・・・　・・・貸玉額＝０であるか否かの判断がなされる。Ｓ１４、Ｓ１５によってセットされた貸玉額に相当するパチンコ玉のうちまだ払出されていない未払出分が残っている場合には貸玉額が「０」となっていないためにＳ３８によりＯＮの判断がなされＳ１７に進み、払出制御用マイクロコンピュータに再度玉貸要求信号の出力がなされる。一方、玉貸額分のパチンコ玉がすべて払出されている場合にはＳ４０に進み、玉貸可表示器４６ｄを点灯し、返却可表示器４８ｄを点灯する処理がなされてＳ１０に進み、再度の玉貸操作、返却操作の受付動作が行なわれる。」（第２８欄第８-２２行）
　
（記載１８．）「パチンコ遊技機側で単位額（たとえば１００円）に相当するパチンコ玉（たとえば２５個）が貸出されるごとに払出制御用マイクロコンピュータからカード処理機制御用マイクロコンピュータに玉貸完了信号が出力されるのであり、カード処理機制御用マイクロコンピュータではその出力信号を入力するたびに貸玉額（Ｓ１４、Ｓ１５を参照）分のパチンコ玉がすべて貸出されたか否かの判断を行ない、未だに貸出されていない未貸出分がある場合にはその未貸出分をすべて貸出すまで前記単位額（たとえば１００円）のパチンコ玉の貸出を繰返し行なうのである。」（第２８欄第４８行−第２９欄第８行）
　
（記載１９．）「図２３ないし図２６は、図２０に示した制御回路の動作を説明するためのフローチャートである。」（第２９欄第２３、２４行）
　
（記載２０．）「このタイマＴ７は、一定期間に限り入賞玉の受付けよりも玉貸要求の受付の方を優先させるために設けられたものであり、後述のＳ９４によりセットされる。」（第３０欄第１２-１５行）
　
（記載２１．）「次に、タイマＴ７がタイムアップするまでの間に、Ｓ１７のステップに従ってカード処理制御用マイクロコンピュータ３００から玉貸要求信号が送信されてくれば、Ｓ５１によりＹＥＳの判断がなされてＳ５２に進み、玉貸動作のための制御が行なわれる。このように、Ｔ７が終了するまでは玉貸動作のための制御を優先させ、Ｔ７が終了して初めて入賞玉に基づく景品玉の払出制御を行なうようにした・・・」（第３０欄第４９行−第３１欄第５行）
　
（記載２２．）「Ｓ５２により、タンク玉センサが玉を検出しているか否かの判断が行なわれ、検出していなければＳ５３に進み玉貸しによるパチンコ玉の払出動作が不能動化されるが、検出しておればＳ５４に進み、未払出数にｐをセットし、払出状態を「玉貸」にセットする処理が行われる。「未払出数」とは、払出すべきパチンコ玉の中でまだ払出されていない払出残り数のことであり、Ｓ５４及び後述するＳ５９、Ｓ６２、Ｓ６３によりそれぞれの値がセットされるとともにパチンコ玉が１個払出されるごとにＳ８９により「１」ずつ減算される。なお、Ｓ５４のｐとは、単位額（Ｓ３５を参照）に相当するパチンコ玉の個数でありたとえば２５個に定められている。次にＳ５５に進み、カード処理機制御用マイクロコンピュータ３００に玉貸準備信号を出力する処理が行われてＳ６９に進む。」（第３１欄第１０−２４行）
　
（記載２３．）「一方、払出状態が「玉貸」の場合にはＳ９１に進み、未払出数＝０であるか否かの判断が行われ、０でない場合にはＳ４８に進むが、０の場合にはＳ９２に進み、カード処理機制御用マイクロコンピュータ３００に玉貸完了信号を出力する処理が行なわれ、・・・」（第３４欄第２０-２４行）
　
　また、第１図、及び、第【００３４】段落の記載から、「玉貸ボタン４４ｃ」、「返却ボタン４２ｃ」はパチンコ遊技機側に設けられており、第１９図の記載から、「玉貸スイッチ（玉貸操作検出器）４４ｄ」はカード処理機制御部に接続されており、さらに、第２３図、第２４図及びその説明箇所（第【００９１】−【０１１１】段落）の記載から、「玉払出器」は払出制御基板により制御されるものであって、カード処理機制御部からの玉貸要求信号に基づくパチンコ球の貸し出しと、ゲーム制御基板からの入賞信号に基づく払出とをともに行うものと認められる。
以上の記載によれば、「先願明細書」には、
「分離可能なパチンコ遊技機とカード処理機を有する装置であって、（ｉ）パチンコ遊技機の払出制御基板及びゲーム制御基板等と、カード処理機のカード処理機制御部とが中継端子基板を介して互いに情報の送受信ができるように接続され、（ｉｉ）カード処理機にカードを挿入して該カードに記録されているカード残額を含む記録情報を読取るように構成されており、（ｉｉｉ）カード処理機制御部にはカード処理機制御用マイクロコンピュータ３００が組み込まれておりこれに接続された玉貸スイッチをＯＮする玉貸ボタンを有し、（ｉｖ）払出制御基板には払出制御用マイクロコンピュータ３５０が設けられておりこれにより制御されて、カード処理機制御部からの玉貸要求信号に基づくパチンコ球の貸し出しと、ゲーム制御基板からの入賞信号に基づく払出とをともに行う玉払出器を有し、（ｖ）カード処理機制御部は、玉貸ボタンが押圧操作されると、貸玉額に貸玉額設定スイッチで設定された設定額をセットし、パチンコ遊技機側で単位額に相当するパチンコ玉が貸出されるごとに貸出の要否を判断して貸玉額分のパチンコ玉をすべて貸出すまで玉貸要求信号を出力することによって単位額のパチンコ玉の貸出を繰返し行なうものであり、（ｖｉ）カード処理機内に挿入されているカードを返却するための返却ボタンを有し、（ｖｉｉ）玉貸ボタンが押圧操作されると払出制御用マイクロコンピュータに玉貸要求信号が出力され、次にタイマＴ１がセットされ、（ｖｉｉｉ）払出制御用マイクロコンピュータが玉貸要求信号を受けて玉貸準備信号を送信し、（ｉｘ）カード処理機制御用マイクロコンピュータはタイマＴ１が終了する以前に玉貸準備信号を受信すると玉貸が完了した旨の信号の受信を待機し、（ｘ）払出制御用マイクロコンピュータは玉貸準備信号を送信した後玉払出を行い、セットされた貸玉額に相当する払出数のパチンコ玉払出が完了するとカード処理機制御用マイクロコンピュータに玉貸完了信号を送信し、（ｘｉ）カード処理機制御用マイクロコンピュータは玉貸完了信号が受信されれば挿入カードの現在残高から貸出された単位額を減算し、（ｘｉｉ）タイマＴ１が終了する以前でかつ払出制御用マイクロコンピュータからの玉貸準備信号の受信がなくかつ遊技者が返却ボタン４２ｃを押圧操作した場合には、Ｓ３２に進みタイマＴ２がセットされ、（ｘｉｉｉ）タイマＴ２が終了するまで払出制御用マイクロコンピュータからの玉貸準備信号の受信がなかった場合には挿入カードの返却を行うための制御がおこなわれ、これにより返却ボタンが押圧操作された後実際に返却動作を行うまでにＴ２のタイムラグを設けることにより玉貸が行われたにもかかわらず残高減額更新をしなければならないカードが既に返却されてしまっているという不都合を防止し、（ｘｉｖ）玉貸ボタン及び返却ボタンは、パチンコ遊技機側に設けられている、パチンコ遊技機とカード処理機を有する装置」
との発明（以下、「先願発明」という。）が開示されていると認めることができる。
　
（３）対比、判断
３−１．対比
　ａ．「本件発明」と「先願発明」とを比較すると、後者の「パチンコ遊技機とカード処理機を有する装置」は、「カード処理機にカードを挿入して該カードに記録されているカード残額を含む記録情報を読取」って利用するものであるから、本件発明の「少なくとも遊技媒体の貸出可能金額データからなる遊技情報の書込部を備えた遊技用のカードを使用したカード式パチンコ機」に相当する。
ｂ．「先願発明」における「払出制御基板及びゲーム制御基板等」は、全体としてパチンコ機の制御を行っており、且つ、カード処理機のカード処理機制御部と送受信可能に接続されているから、本件発明の「カード制御回路と交信可能に接続されるパチンコ機制御回路」に相当する。
　ｃ．後者の「カード処理機制御部に接続された玉貸スイッチをＯＮする玉貸ボタン」は、当該玉貸ボタンを押圧操作することにより、貸玉額設定スイッチによって予め設定されている貸玉額分のパチンコ玉が貸し出されるから、本件発明の「カードの前記書込部に書き込まれた貸出可能金額データを、予め定められた設定モード金額単位で遊技媒体の数量に変換するための貸出信号を発生させる前記カード制御回路に接続された球貸スイッチ」に相当する。
　ｄ．後者の「玉払出器」は、パチンコ機の払出制御基板に接続されていて、玉貸ボタンによるパチンコ球の貸し出しと、入賞による払出とをともに行っているから、本件発明の「パチンコ機制御回路と接続された貸球賞球排出装置」に相当する。
　ｅ．後者の「カード処理機制御部」は、玉貸ボタンの押圧操作に基づいて動作し、単位額のパチンコ球の貸し出しを設定額に応じた回数だけ繰り返す制御を行っているものであるから、前者の「貸出可能金額データを、予め定められた設定モード金額単位で遊技媒体の数量に変換するための貸出信号を発生させる玉貸スイッチが接続されたカード制御回路」に相当する。
　ｆ．後者の「返却ボタン」は、前者の「カードの返却用スイッチ」に相当し、後者の「玉貸ボタン」及び「返却ボタン」はともに、前者同様、パチンコ機側に設けられている。
　
３−２．一致点、相違点
　したがって、「本件発明」と「先願発明」とは、
（一致点）
「カード制御回路と交信可能に接続されるパチンコ機制御回路を備え、少なくとも遊技媒体の貸出可能金額データからなる遊技情報の書込部を備えた遊技用のカードを使用したカード式パチンコ機であって、前記カードの前記書込部に書き込まれた貸出可能金額データを、予め定められた設定モード金額単位で遊技媒体の数量に変換するための貸出信号を発生させる前記カード制御回路に接続された球貸スイッチと、前記パチンコ機制御回路と接続された貸球賞球排出装置と、前記貸出信号の発生に基いて前記貸出可能金額データを遊技媒体に変換する前記カード制御回路と、上記カードの返却用スイッチを備え、上記球貸スイッチ及び返却スイッチはパチンコ機側に設けられているカード式パチンコ機。」
の点で一致し、次の点において一応相違する。
（相違点）
　カード制御回路とパチンコ機制御回路の動作に関し、
「本件発明」では、
「前記貸出信号の発生に基いて前記貸出可能金額データの総額に対応する遊技媒体数に変換された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する前記カード制御回路と、
　前記貸球賞球排出装置が遊技球の排出準備を完了させているか否かを判定し、排出準備を完了させていると判定した場合に、貸出スイッチの操作によって発生し、入力される前記球貸信号の受信に基いて、前記カード制御回路にＢＵＳＹ信号を出力する一方、貸球を前記貸球賞球排出装置により排出し、排出処理動作が終了したと判定すると前記ＢＵＳＹ信号の発生を停止する前記パチンコ機制御回路と、」と技術事項を特定しているのに対し、
「先願発明」においては、このような文言による特定とはなっていない点。
　
３−３．一応の相違点についての検討
　そこで、この一応の相違点につき詳しく検討する。
　
　「先願発明」の「玉貸要求信号」は、玉貸ボタンが押圧されると払出制御用マイクロコンピュータに対してカード処理制御用マイクロコンピュータから出力されるものであって「玉貸要求信号」が出力されるたびに「単位額」分の玉が貸出され、貸玉額分の玉をすべて貸出すまでくり返し出力されるものである。
　これに対して「本件発明」の「玉貸信号」も、「本件発明」明細書の段落番号００２３〜００２８の実施例が示すように、「玉貸スイッチで指定した玉貸金額に相当する玉数」の「遊技媒体の数量」に相当する玉排出動作がおこなわれるまで、「貸球賞球排出装置が払出す単位球数」が払出されるたびにカード制御回路からパチンコ機制御回路へくり返し出力されるものであるから、「先願発明」の「玉貸要求信号」は「本件発明」の「球貸信号」に相当するといえる。
　
　これを、実施例における信号の態様で検討する。
　
３−３−ａ．「先願発明」におけるカード処理制御用マイクロコンピュータと払出制御用マイクロコンピュータとの、信号のやり取りとその順序（先願の図２１〜２４に対応する明細書の記載参照）
　１．玉貸ボタンＯＮ．
　２．カード処理制御用マイクロコンピュータが、「貸玉額」として、玉貸ボタンにより指定された金額分の玉数をセット
　３．カード処理制御用マイクロコンピュータが、払出制御用マイクロコンピュータに「玉貸要求信号」を出力
　４．払出制御用マイクロコンピュータが、「玉貸要求信号」を受けると「玉貸準備信号」をカード処理機制御用マイクロコンピュータに出力し、払出ソレノイドをＯＮして玉を払出す
　５．払出制御用マイクロコンピュータは、「単位額」分の玉を払出したら払出動作を止め、カード処理機制御用マイクロコンピュータに「玉貸完了信号」を出力
　６．カード処理機制御用マイクロコンピュータは、「玉貸完了信号」を入力すると「貸玉額」から「単位額」分を減算し、減算結果がゼロでない場合は払出制御用マイクロコンピュータに「玉貸要求信号」を再び出力
　７．払出制御用マイクロコンピュータとカード処理機制御用マイクロコンピュータとは上記４．〜６．の動作を、「貸玉額」がゼロになるまで繰り返す。
　
３−３−ｂ．「本件発明」におけるカード制御回路とパチンコ機制御回路との、信号のやり取りとその順序（本件発明明細書段落番号００２３〜００２８、００３２及び図５、６、１３、１４参照）
　１．玉貸スイッチＯＮ
　２．カード制御回路が「玉貸記憶」を「貸球賞球排出装置が払出す単位球数」単位で数えた数にセット
　３．カード制御回路が、パチンコ機制御回路に「球貸信号」を出力
　４．パチンコ機制御回路が、「球貸信号」を受けると「ＢＵＳＹ信号」をカード制御回路に出力し、貸玉排出処理をおこなって球を排出する
　５．パチンコ機制御回路は、排出処理動作が終了したら、カード制御回路に出力していた「ＢＵＳＹ」信号を出力停止する
　６．カード制御回路は、「ＢＵＳＹ信号の立ち下り」が検出された場合、「玉貸記憶」の値から「１」を減算し（段落番号００２８、図６のＳ２６）、「玉貸記憶」がゼロでない場合はパチンコ機制御回路に「玉貸信号」を再び出力（図６のＳ３０）
　７．パチンコ機制御回路とカード制御回路とは、上記４．〜６．の動作を、「玉貸記憶」がゼロになるまで繰り返す。
　
上記３−３−ａ．及び３−３−ｂ．の対比からみて、「先願発明」の「玉貸要求信号」は、「本件発明」の「球貸信号」に相当し、「先願発明」の「玉貸準備信号」及び「玉貸完了信号」は「ＢＵＳＹ信号の立上がり」及び「ＢＵＳＹ信号の立下り」が、それぞれ相当する。
　
３−３−ｃ．時間設定について
　カード返却スイッチが操作されて時間を設定するのは、
「本件発明」においては、「球貸信号が発生されている時にカードの返却スイッチが操作された場合」である。
一方、「先願発明」においては、上記先願発明についての認定（ｖｉｉ）、（ｘｉｉ）に示すように、「玉貸要求信号が出力され、タイマＴ１が終了する以前でかつ払出制御用マイクロコンピュータから玉貸準備信号の入力がない」時に返却ボタン４２ｃが押圧操作されるとタイマＴ２がセットされる。
これを上記３−３-ａ.及びｂ．に示す対比に基づいてみると、
「先願発明」における、「玉貸準備信号の入力がない」は、「本件発明」においては「ＢＵＳＹ信号の立上がり」がない時、に相当する。
　更に「先願発明」における「タイマＴ１が終了する以前」という点はすなわち、上記認定（ｖｉｉ）が示すように、タイマＴ１は玉貸要求信号が出力されるとセットされるものであるから、タイマＴ１が終了前であるのだから玉貸要求信号が出力された場合に相当し、「本件発明」の「玉貸信号が発生されている時」に相当する。
　
　また、「本件発明」の「パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間」は、「ＢＵＳＹ信号の受信」が「ＢＵＳＹの立上がり」の検知のことであるから、
　「先願発明」の相当する構成で表現すれば、「払出制御用マイクロコンピュータが玉貸要求信号を受信してから、カード制御用マイクロコンピュータが玉貸準備信号を受信するまでの時間よりも長く定められた時間」と置き換えることができる。
　
　これに対して、「先願発明」においては、上記認定に示すように、「（ｘｉｉ）タイマＴ１が終了する以前でかつ払出制御用マイクロコンピュータから玉貸準備信号の入力がなくかつ遊技者が返却ボタン４２ｃを押圧操作した場合には、Ｓ３２に進みタイマＴ２がセットされ、（ｘｉｉｉ）タイマＴ２が終了するまで払出制御用マイクロコンピュータから玉貸準備信号の入力がなかった場合には挿入カードの返却を行うための制御がおこなわれ、これにより返却ボタンが押圧操作された後実際に返却動作を行うまでにＴ２のタイムラグを設けることにより玉貸が行われたにもかかわらず残高減額更新をしなければならないカードが既に返却されてしまっているという不都合を防止し」ているのであるから、タイマＴ２のタイムラグは、玉貸要求信号を発生させてから玉貸準備信号を受信するまでの時間よりも長くしなければならないことは自明である。
　
　なぜならば、そのようにしないと、上記記載１４．の「返却操作ボタン４２ｃ（図１参照）が押圧操作された後Ｔ２（数百ｍｓｅｃ）の間に球貸準備信号が払出制御用マイクロコンピュータからカード処理機制御用マイクロコンピュータに入力されないことを確認」という事項が実現できないことは自明であるからである。
　
よって、「先願発明」におけるＴ２のタイムラグと「本件発明」における「パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間」とは、同一のものである。
　
３−４．判断
　以上の通りであるので、上記３−２．に記載した「一応の相違点」は、実質的に、「本件発明」における「ＢＵＳＹ信号」の「立上がり」と「立下り」の使用と、「先願発明」における「玉貸準備信号」及び「玉貸完了信号」の使用との相違に帰着する。
　そしてこの、「先願発明」における「球貸準備信号」と「球貸完了信号」とは、順次逐次的に発生させているものである。すなわち、準備信号の受信の次には完了信号が受信されることが予定されているものである。　
  これに対して、一般に電気信号伝達処理の分野において、順次逐次的に発生させる信号を、２値信号の立ち上がり立下りによって信号伝達する手法は、適宜必要に応じて採用されるものであり、パチンコ機の玉貸動作における「ＢＵＳＹ信号」は、「ＢＵＳＹ信号」というものが、一般に２つの制御回路間で信号のやり取りを行う場合における状態を表す信号として、上記周知例１〜３に見られるように周知の技術であり、周知例３に見られるようにパチンコ機の分野においても使用されるものであって、順次逐次的にビジーかそうでないかの２値が表されるものであるのだから、本件発明における上記相違も、該一般的信号利用における信号の態様の相違にすぎず、当業者が適宜選択的に採用する設計的事項であるといえる。
　
　
よって、上記「一応の相違点」は実質的には相違点ではない。
　
４．むすび
　 以上のとおりであるから、「本件発明」は、[先願発明]と同一であり、しかも、本件出願の発明者が上記先願に係る上記の発明をした者と同一ではなく、またこの出願の時において、本件の出願人が上記先願の出願人と同一でもないので、本件訂正後発明の特許は、特許法第２９条の２第１項の規定の規定に違反してなされたものである　
　したがって、「本件発明」についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１８年１月２５日（２００６．１．２５）
【訂正の要旨】
審決（決定）の【理由】欄参照。
（５４）【発明の名称】
カード式パチンコ機
（５７）【特許請求の範囲】
　【請求項１】カード制御回路と交信可能に接続されるパチンコ機制御回路を備え、少なくとも遊技媒体の貸出可能金額データからなる遊技情報の書込部を備えた遊技用のカードを使用したカード式パチンコ機であって、
　前記カードの前記書込部に書き込まれた貸出可能金額データを、予め定められた設定モード金額単位で遊技媒体の数量に変換するための貸出信号を発生させる前記カード制御回路に接続された球貸スイッチと、
　前記パチンコ機制御回路と接続された貸球賞球排出装置と、
　前記貸出信号の発生に基いて前記貸出可能金額データ
の総額に対応する
数
された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する
　前記貸
球
、入
前記
　上記カードの返却用スイッチを備え、
　上記球貸スイッチ及び返却スイッチは、パチンコ機側に設けられることを特徴とするカード式パチンコ機。
【発明の詳細な説明】
　【０００１】
　【産業上の利用分野】
　本発明は、カード式パチンコ機の改良に関するものである。
　【０００２】
　【従来の技術】
　パチンコ機を使用した遊技は、遊技媒体すなわち遊技球の貸し出しを受けたのち、この遊技球を球発射装置の操作によって遊技盤に発射して行われる。そして手持ちの遊技球が減少したときには所望数の遊技球の貸し出しを新たに受け、適宜パチンコ機の受け皿に補給する。この遊技球を紙幣または硬貨によって貸し出しを受ける代りに、カードによって遊技球を貸し出すようにしたカード式パチンコ機があり、以下にカード式パチンコ機の従来例を説明する。図１６において、１はパチンコ遊技用のプリペイドカードを示しており、このカード１には後述する遊技情報を書き込むための書込部（破線参照）２が設けられている。書込部２には遊技情報がバーコードなどの２値情報として磁気記録される。上記遊技情報は、プリペイド金額に相当する遊技球の貸出可能金額データ、遊技場の識別データ、カード１に固有のＩＤ符号データおよび日付時刻データなどから構成される。図１７は球貸機に相当する装着部３と、パチンコ機４とを示している。装着部３は、カード搬送装置６およびカードデータリードライト装置７からなる挿入部（破線参照）５と、貸出スイッチとしての球貸スイッチ８と、カード制御回路９とを備え、装着部３およびパチンコ機４は交信可能に接続されている。なお球貸スイッチ８はパチンコ機４側に設けられている。
　【０００３】
　挿入部５はカード１を装着部３に装着するためのもので、挿入部５から挿入されたカード１はカード搬送装置６によって所定位置まで搬送され、遊技終了時には挿入部５から排出される。カードデータリードライト装置７はリードライトヘッドからなり、書込部２から遊技情報を読み出すとともに、遊技情報を書込部２に書き込む機能を備えている。カード搬送装置６は、挿入部５に挿入されたカード１をカードデータリードライト装置７が書込部２の遊技情報を読み込み、かつ、遊技情報を書込部２に書き込み可能な位置（以下、読込・書込可能な位置という）に搬送または読込・書込可能位置にあるカード１を排出位置に搬送するためのものである。球貸スイッチ８は上述した貸出可能金額データを所定レートで遊技球数データに換球演算し、その演算値に基いて遊技球を貸出しするためのものである。球貸スイッチ８が操作されたとき、カードデータリードライト装置７によって読み出された遊技情報が有価カード１であると判定され、貸出可能金額データが零でないときに動作は有効になる。そして球貸スイッチ８を操作することにより貸出信号が発生され、この貸出信号はカード制御回路９に入力される。
　【０００４】
　球貸スイッチ８から発生される貸出信号は、カード制御回路９によって貸出可能金額データを遊技媒体の数量に変換演算させるためのもので、この変換演算は予め定められた設定モード金額単位でなされる。カード制御回路９はパチンコ機４の一部、カード搬送装置６およびカードデータリードライト装置７を制御し、かつ、書込部２に書き込まれた貸出可能金額データを所定レートで遊技球数データに換球演算するためのものである。このためにカード制御回路９には、カード搬送装置６を制御する搬送装置動作信号を発生させる機能と、書込部２から読み出された遊技情報に基いて遊技媒体貸出可能信号を発生させる機能と、球貸スイッチ８の操作による貸出信号の発生に基いて貸出可能金額データを所定レートで遊技球数データに換球演算し、該換球演算値が表された球貸信号（貸出要求信号）を発生させる機能とが備えられている。この換球演算の結果、遊技球は、所定レートで換球された分だけ貸し出され、この貸し出し処理が終了すると可能金額データが減算される。なお搬送装置動作信号は取込信号および排出信号からなり、取込信号は、カードデータリードライト装置７が挿入部５に挿入されたカード１の書込部２から遊技情報を読込・書込可能な位置にカード１をカード搬送装置６によって搬送するためのもので、排出信号はカード１を読込・書込可能位置から排出位置に搬送するためのものである。
　【０００５】
　また遊技媒体貸出可能信号は、書込部２に書き込まれた遊技情報のうち、貸出可能金額データが零でないときに発生される。書込部２に書き込まれた遊技情報のうち、貸出可能金額データが零でないとき、このカード１を有価カード１ということにする。またカード制御回路９によって発生された球貸信号は、パチンコ機制御回路１０に入力される。この球貸信号は、カード制御回路９遊技者が有価カード１に書き込まれた貸出可能金額データを遊技球数データに換球（変換）演算した結果に基いて遊技球を貸し出すための起動信号である。パチンコ機４の各部はパチンコ機制御回路１０によって制御される。貸球賞球排出装置１１は遊技球および賞品球を図示を省略した受け皿に払い出すためのもので、遊技球および賞品球はタンクに予め貯溜されている。貸球賞球排出装置１１は、カード制御回路９を介して球貸信号が入力されたときには、遊技球を貸し出しのために払い出す一方、入賞球検出信号がパチンコ機制御回路１０から直接入力されたときには賞品球を払い出す。なお、１２はカード返却スイッチで、カード１の返却を要求する際にカード返却スイッチ１２を操作することにより、カード返却信号がカード制御回路９に入力される。
　【０００６】
　こののちカードデータリードライト装置７は遊技情報を書込部２に書き込んだのち、カード制御回路９はカード搬送装置６によって読込・書込可能な位置にあるカード１を排出位置に搬送する。またカード返却スイッチ１２はパチンコ機４側に設けられているが、装着部３の一部を構成するものである。また１３は球発射装置で、球発射装置１３を操作することによって遊技球を遊技盤面（図示省略）に発射することができる。球発射装置１３には１分間に１００発程度の遊技球を打ち出す機能が備えられている。このように構成されたカード式パチンコ機を使用するときには、有価カード１を挿入部５に挿入すると、カード制御回路９は取込信号を発生させてカード搬送装置６を起動することにより、上記有価カード１を読込・書込可能な位置に搬送する。ついでカード制御回路９はカードデータリードライト装置７を介して、カード１の遊技情報を読み込む。そしてカード１に不都合がない場合、カード制御回路９は遊技媒体貸出可能信号を発生させる。つづいて球貸スイッチ８を操作すると、この有価カード１の貸出可能金額データが零でないとき、貸出信号がカード制御回路９に入力される。カード制御回路９は、この貸出信号に基いて貸出可能金額データを所定レートで遊技球数データに換球演算し、該換球演算値が表された球貸信号を発生させる。
　【０００７】
　この球貸信号はカード制御回路９からパチンコ機制御回路１０を介して貸球賞球排出装置１１に入力され、貸球賞球排出装置１１は、所定数の遊技球を貸し出しのために受け皿に払い出す。これにより遊技者は、球発射装置１３の操作によって遊技を進行させることができ、同様の操作を繰り返すことにより遊技を継続させながら遊技球を補給できる。上述したようにカード制御回路９による換球演算は、上記設定モード金額単位でなされるのであるが、設定モード金額は現在、最低単位が一般に１００円／２５球に定められている。他方、球発射装置１３には１分間に１００発程度の遊技球
を
　【０００８】
　ところが書込部２に予め書き込まれている貸出可能金額データと球貸スイッチ８に設定されている金額との組合せ、または、複数種の球貸スイッチ８の操作順序の組合せによっては、カード１の残貸出可能金額データ（残度数）が球貸スイッチ８に設定されている最低金額よりも小さくなることがある。このような場合、従来、使用中のカード１単独による遊技球の貸出は禁止され、新たなカード１を追加してから球貸スイッチ８の操作したり、使用中のカード１を払い出すようにしていた。これによりカード１の残貸出可能金額データが球貸スイッチ８に設定されている最低金額よりも小さくなり、かつ、現遊技球数がきわめて少なくなったときには、使用中のカード１が有価であるにも拘らず当該カード１による遊技球の貸出が受けられないことから、一旦、遊技を中断させて新たなカード１の貸与を受けたのちに該カード１の追加により遊技を再開させなければならない。
　【０００９】
　【発明が解決しようとする課題】
　このような遊技の中断は遊技意欲の減退を招くだけではなく、残り少ない遊技球のいずれかによって遊技者に有利な権利が発生した場合、上述したように新たなカードを追加しなければ遊技球を得られないので、遊技者に有利な権利が新たなカードの貸与を受けている間に消滅し、遊技意欲を減退させるという問題を招く。そこで本発明は、カードの残貸出可能金額データが球貸スイッチに設定されている最低金額よりも小さい場合でも遊技球の貸出を可能にしたカード式パチンコ機の提供を目的とする。
　【００１０】
　本発明は上記目的を達成するために、カード制御回路と交信可能に接続されるパチンコ機制御回路を備え、少なくとも遊技媒体の貸出可能金額データからなる遊技情報の書込部を備えた遊技用のカードを使用したカード式パチンコ機であって、前記カードの前記書込部に書き込まれた貸出可能金額データを、予め定められた設定モード金額単位で遊技媒体の数量に変換するための貸出信号を発生させる前記カード制御回路に接続された球貸スイッチと、前記パチンコ機制御回路と接続された貸球賞球排出装置と、前記貸出信号の発生に基いて前記貸出可能金額データ
の総額に対応する
数
された球貸信号が発生されている時に、カードの返却スイッチが操作された場合、前記パチンコ機制御回路が前記球貸信号を受信してからＢＵＳＹ信号を出力するまでの時間と、前記パチンコ機制御回路からの前記ＢＵＳＹ信号を受信するまでの時間との和よりも、長く定められた時間を設定する
球
、入
前記
パ
　【００１１】
　本発明の構成によれば、カード式パチンコ機に使用される遊技用のカードは、遊技媒体の貸出可能金額データからなる遊技情報の書込部を有し、貸出スイッチにより前記カードの書込部に書き込まれた貸出可能金額データを、予め定められた設定モード金額単位で遊技媒体の数量に変換するための貸出信号を発生させ、この貸出信号の発生に基いて前記貸出可能金額データ
の総額に対応する
数
された球貸信号が発生されている場合にカードの返却スイッチが操作されると、前記パチンコ機制御回路が前記カード制御回路からの前記球貸信号を受信してからＢＵＳＹ信号を出力するまでの時間と、前記カード制御回路が前記パチンコ機制御回路からの前記ＢＵＳＹ信号を受信するまでの時間との和よりも、長く定められた時間を設定する
　【００１２】
　【発明の実施の形態】
　つぎに本発明の一実施の形態を図面に基いて詳細に説明する。また本実施の形態では遊技媒体として遊技用のパチンコ球（以下、遊技球という）についてを説明することとし、図１６および図１７と同じ部材には同符号を付し、その説明は省略する。図１は本発明のカード式パチンコ機の構成の一部を示し、本カード式パチンコ機は、図１６に示したカード１、ブラックボックス（以下、ＢＢという）１４、パチンコ機１５およびホストコンピュータとしての管理装置１６を主構成とする。ＢＢ１４はパチンコ機１５の一部を構成するもので、図２および図３に示すように２台のパチンコ機１５，１５の間に挟まれて設置されている。ＢＢ１４は各パチンコ機１５に対して１対１に対応させて設けられ、ＢＢ１４，１４およびパチンコ機１５，１５は、それぞれ互いに交信可能に接続されている。本実施の形態では、２組のＢＢ１４，１４を一体に設けることによって１ユニットが構成されている。またＢＢ１４およびパチンコ機１５と、管理装置１６とは各々交信可能に接続されている。
　【００１３】
　図１に戻ってＢＢ１４は、貸出スイッチとしての球貸スイッチ８、カード１が挿入・排出されるカードリーダーライター（破線参照）１７、カード制御回路としてのＢＢ制御回路１８、カード待機表示器兼カード忘れアラーム表示器（以下、表示器という）１９、スピーカー２０、後述する複数のモードスイッチ２１，２２，２３，２４、残度数表示器２５、そしてカード返却スイッチ２６を備えている。本実施例において球貸スイッチ８、残度数表示器２５およびカード返却スイッチ２６はパチンコ機１５側に配置されており、これらの説明は後述する。カードリーダーライター１７はカード１をＢＢ１４に装着するためのもので、ＢＢ制御回路１８に接続され、カード搬送装置６、カードデータリードライト装置７、カード挿入検出スイッチ２７およびカード待機検出スイッチ２８を備えている。カード挿入検出スイッチ２７およびカード待機検出スイッチ２８は、各々一対の発光・受光素子からなり、ＢＢ制御回路１８に接続されている。そしてカード挿入検出スイッチ２７およびカード待機検出スイッチ２８はカード１の挿入路および搬送路（ともに図示省略）を隔てて配置されている。このためカード挿入検出スイッチ２７およびカード待機検出スイッチ２８は、各々の対を形成している発光・受光素子間での光線の授受がカード１によって阻止されることに基いて、カード１の有無を検出することができる。
　【００１４】
　ＢＢ制御回路１８はＣＰＵを主構成とし、図５ないし図７に示されたプログラムを順次実行する。ＢＢ制御回路１８はカード搬送装置６およびカードデータリードライト装置７を制御し、かつ、球貸スイッチ８の操作による貸出信号の発生に基いて書込部２に書き込まれた貸出可能金額データを所定レートで遊技球数データに換球演算するためのものである。そしてＢＢ制御回路１８は上記変換演算した演算値が表された球貸信号を発生させる。ＢＢ制御回路１８にはカード搬送装置６、カードデータリードライト装置７のほかに、貸出スイッチとしての球貸スイッチ８、表示器１９、スピーカー２０、モードスイッチ２１，２２，２３，２４、残度数表示器２５、カード返却スイッチ２６、カード挿入検出スイッチ２７およびカード待機検出スイッチ２８が接続されている。ＢＢ制御回路１８には、カード搬送装置６を制御するための搬送装置動作信号を発生させる機能と、書込部２から読み出された遊技情報に基いて遊技媒体貸出可能信号を発生させる機能と、球貸スイッチ８の操作による貸出信号の発生に基いて貸出可能金額データを所定レートで遊技球数データに換球演算し、該換球演算値が表された球貸信号を発生させる機能とが備えられている。上記搬送装置動作信号は取込信号および排出信号からなり、取込信号はカード挿排口２９から挿入されたカード１を読込・書込可能な位置に搬送するためのもので、排出信号は読込・書込可能な位置に待機しているカード１をカード挿排口２９から排出させる位置に搬送するためのものである。
　【００１５】
　カード挿入検出スイッチ２７は、図２に示したカード挿排口２９の開口近傍の内方に位置し、カード１がカードリーダーライター１７に挿入されたとき、挿入検出信号をＢＢ制御回路１８に入力する。これに対しＢＢ制御回路１８は、挿入検出信号がカード挿入検出スイッチ２７から入力されたとき、取込信号を発生させたのちカード搬送装置６に入力する。これによりカード搬送装置６はカード挿排口２９から挿入されたカード１を読込・書込可能な位置に搬送する。カード待機検出スイッチ２８はカードデータリードライト装置７の近傍に位置し、カード１が読込・書込可能な位置に待機したとき、待機検出信号をＢＢ制御回路１８に入力する。そして待機検出信号がカード待機検出スイッチ２８から入力され、かつ、カード返却スイッチ（後述）２６が操作されたときに、ＢＢ制御回路１８は排出信号を発生させ該排出信号をカード搬送装置６に入力する。この排出信号の発生に基いて、カード搬送装置６は、読込・書込可能な位置に待機しているカード１をカード挿排口２９の排出位置に搬送する。なおカード待機検出スイッチ２８が待機検出信号をＢＢ制御回路１８に入力すると、ＢＢ制御回路１８は待機検出信号を表示器１９に入力する。
　【００１６】
　カード返却スイッチ２６はカード１を返却するためのもので、カード返却スイッチ２６は遊技者の操作に基いてカード返却信号をＢＢ制御回路１８に入力する。そしてＢＢ制御回路１８は遊技情報を書込部２に書き込んだのち排出信号を発生させ、カード搬送装置６によりカード１をカード挿排口２９から排出位置に搬送する。また遊技媒体貸出可能信号は有価カード１であること、すなわち貸出可能金額データが零でないことが判定されたとき、ＢＢ制御回路１８から発生されてパチンコ機制御回路３０に入力される。パチンコ機制御回路３０はＢＢ制御回路１８から発生された球貸信号の発生または入賞球検出スイッチ３１による入賞の検出に基いて、貸球賞球排出装置１１を駆動することにより貸出用遊技球遊技球または賞品用遊技球を排出制御する。球貸信号は球貸スイッチ８の操作によってＢＢ制御回路１８から発生されるものである。球貸スイッチ８は操作されることによって貸出信号を発生し、貸出信号はＢＢ制御回路１８に入力される。これによりＢＢ制御回路１８は書込部２に書き込まれた遊技情報に換球演算を施し、該換球演算値のうち少なくとも遊技球数データが表された球貸信号は、パチンコ機制御回路３０に入力される。
　【００１７】
　そして上記換球演算の結果、遊技球が所定レートで換球された分だけ貸球排出装置１１から貸し出され、この貸出処理が終了すると貸出可能金額データが減算される。このように貸球賞球排出装置１１から遊技球が貸し出されるとき、パチンコ機制御回路３０は後述する排出動作信号を発生させる（図９または図１１参照）。モードスイッチ２１，２２，２３，２４は貸出可能金額データを遊技球数データに換球する際の単位当り貸出金額（以下、設定モード金額という）をＢＢ制御回路１８に設定するためのもので、本実施例では設定モード金額が２００円、３００円、４００円および５００円の４段階に設定されている。またＢＢ制御回路１８は、貸出信号が貸出スイッチ８から発生したとき、書込部２に書き込まれた貸出可能金額データが設定モード金額に達していない場合、貸出可能金額データの総額に対応する数量の遊技球が表わされた球貸信号を発生させる。パチンコ機制御回路３０はＢＢ制御回路１８から発生された総額要求信号に基いて、貸出可能金額データの総額に相当する貸出用遊技球を排出制御する。
　【００１８】
　残度数表示器２５はパチンコ機１５の正面で、球貸スイッチ８およびカード返却スイッチ２６の右側に位置し、７ｓｅｇまたはドットマトリクスのＬＥＤまたはＬＣＤから構成されている。残度数表示器２５はカード１の書込部２に書き込まれている遊技情報のうち、貸出可能金額データを所定の設定モード金額の度数で表示するものである。本実施例では１度が１００円であり、かつ、２５球分の遊技球に相当する場合についてを説明する。カード返却スイッチ２６はカード１を返却させる際に操作するもので、この操作によりカード返却信号がＢＢ制御回路１８に入力されたのち、ＢＢ制御回路１８はその時点における遊技情報をカードデータリードライト装置７およびＢＢ１４に入力する。表示器１９およびスピーカー２０は報知手段を構成しており、この報知手段は、上記待機検出信号がカード待機検出スイッチ２８から発生され、かつ、パチンコ機１５が遊技中でない場合に、有価カード１がＢＢ１４に装着されていることを報知するためのカード忘れアラーム信号を、報知信号として発生させるものである。なお遊技中であるか否かは、パチンコ機制御回路３０からＢＢ制御回路１８に入力される後述する遊技検出信号に基いて判定される。またパチンコ機制御回路３０およびＢＢ制御回路１８は互いに交信可能に接続されている。
　【００１９】表示器１９はＣＲＴ、ＬＣＤまたはＬＥＤからなり、スピーカー２０には報知音源が内蔵され、表示器１９およびスピーカー２０は、ともにドライバの図示を省略している。また表示器１９は、カード待機検出スイッチ２８から発生された待機検出信号がＢＢ制御回路１８を経て入力されたときに、有価カード１がカードリーダーライター１７内に待機していることを表示する。そして上述したカード忘れアラーム信号が発生することにより、表示器１９は光を点灯または点滅表示させる一方、スピーカー２０は報知音を発生させる。パチンコ機１５にはパチンコ機制御回路３０、入賞球検出スイッチ３１、遊技検出スイッチとしてのハンドルタッチ検出スイッチ３２、貸球排出表示器３３、賞球排出表示器３４およびスピーカー３５が備えられている。そしてカード待機検出スイッチ２８からの待機検出信号およびカード返却スイッチ２６からのカード返却信号が発生している場合、ＢＢ機制御回路１８は図示を省略したカード返却保証タイマに予め設定された時間Ｔ３の計測を開始する。このカード返却保証タイマは図４に示すように、パチンコ機１５がＢＢ１４からの球買信号を受信してからＢＵＳＹ信号を出力するまでに要する時間Ｔ１と、ＢＢ１４がパチンコ機１５からのＢＵＳＹ信号を受信するまでに要する時間Ｔ２との和より長く（Ｔ３＞Ｔ１＋Ｔ２）定められている。このような上記カード返却保証タイマを設けることにより、パチンコ機制御回路３０およびＢＢ制御回路１８間の信号または符号のやりとりのタイミングを図り、両制御回路１８，３０を構成している別々のＣＰＵの待機時間に起因する時間的な不都合を解消している。
　【００２０】
　上記カード返却保証タイマがタイムアップすると、ＢＢ制御回路１８はカードデータリードライト装置７により遊技情報を書込部２に書き込ませるための遊技情報信号をカードデータリードライト装置７に入力したのち、排出信号をカード搬送装置６に入力する。入賞球検出スイッチ３１は入賞口３８に設けられ、セーフ球を検出することができる（図３参照）。入賞球検出スイッチ３１はパチンコ機制御回路３０に接続されているので、パチンコ機制御回路３０は入賞球数信号を入賞球検出スイッチ３１からの出力信号に基いて演算することができる。この入賞球数信号は貸球賞球排出装置１１に直接入力される。貸球賞球排出装置１１は遊技球および賞品球を図２に示した受け皿３９に払い出すためのもので、遊技球および賞品球は図３に示したタンク４０に予め貯溜されている。貸球賞球排出装置１１は、パチンコ機制御回路３０からＢＢ制御回路１８を介して球貸信号が入力されたとき、遊技球を貸し出しのために払い出す一方、賞品球の払出が表された入賞球数信号がパチンコ機制御回路３０から直接入力されたときには賞品球を払い出す。ハンドルタッチ検出スイッチ３２は、静電容量の変動に基いて球発射装置１３のハンドル（図２参照）４１が操作されたか否かを判定し、ハンドル４１が操作されていると判定された場合にはパチンコ機１５が遊技中であるとみなして、遊技検出信号を発生させる。
　【００２１】
　該遊技検出信号はパチンコ機制御回路３０に入力され、これに基いてパチンコ機制御回路３０は球発射装置１３を駆動することによって遊技球を遊技盤３６に発射し、同時にタッチ信号をＢＢ制御回路１８に入力する。これにより遊技検出信号およびタッチ信号が発生しているときには、遊技可能状態が形成されることになる。他方、ハンドル４１が操作されていないと判定された場合、ハンドルタッチ検出スイッチ３２は遊技検出信号の発生を停止し、これによりパチンコ機制御回路３０は球発射装置１３の駆動を停止し、遊技可能状態は形成されない。貸球排出表示器３３および賞球排出表示器３４はランプからなり、貸球排出表示器３３は、貸球が受け皿３９に排出されるときにその旨を点灯または点滅表示し、賞球排出表示器３４は、賞球が受け皿３９に排出されるときにその旨を点灯または点滅表示する。これらのドライバは図示をともに省略している。スピーカー３５は遊技の進行に応じた効果音を発生するためのもので、ドライバは図示を省略している。つぎに上記のように構成された本実施例のパチンコ機１５の使用手順を説明する。なおパチンコ機１５の使用手順は図示を省略したメモリに予め格納されている。このメモリには上記使用手順の他に、この使用手順を実行する際に必要とされる各種データが格納され、さらには使用手順が実行される際の演算値をメモリに一時的に格納することができる。
　【００２２】
　まずＢＢ１４側の処理いいかえればＢＢ制御回路１８が実行する命令についてを図５ないし図７に基いて以下に説明する。図５に示したｓ１ないしｓ８において、球貸スイッチ８を１回操作したときに貸し出される遊技球いいかえれば１回当りの球貸金額の最低単位を設定する。以下、この設定された球貸金額の最低単位を設定モード金額という。上記設定モード金額を設定するには、ｓ１において４００円用のモードスイッチ２１の操作有無が判定され、モードスイッチ２１が操作されていると判定された場合にはｓ２において４００円用の設定モード金額がセットされ、そうでない場合にはｓ３で２００円用のモードスイッチ２２の操作有無が判定される。そして２００円用のモードスイッチ２２が操作されていると判定された場合にはｓ４において２００円用の設定モード金額がセットされ、そうでない場合にはｓ５以下が実行される。以下同様にして、ｓ５およびｓ７でモードスイッチ２３，２４の操作有無が判定されたのち、ｓ６において３００円用の設定モード金額が、またｓ８において５００円用の設定モード金額がセットされる。
　【００２３】
　なお貸球賞球排出装置１１は遊技球を最低１００円単位すなわち２５球ずつ受け皿３９に払い出すように定めてあり、本実施例においては設定モード金額を５００円にセットしている。すなわち５００円用の設定モード金額にあっては、球貸スイッチ８が１回操作されたとき、貸球賞球排出装置１１は２５球の遊技球を５回すなわち合計１２５球の遊技球を受け皿３９に払い出す。同様に設定モード金額が３００円にセットされている場合、貸球賞球排出装置１１は２５球の遊技球を３回すなわち合計７５球の遊技球を受け皿３９に払い出す。このようにしてｓ２、ｓ４、ｓ６またはｓ８のいずれかにおいて、設定モード金額がセットされるとｓ９にジャンプする。他方ｓ７において５００円用のモードスイッチ２４が操作されていないと判定された場合、いずれのモードスイッチ２１，２２，２３，２４も操作されていないとみなされてｓ１にジャンプし、モードスイッチ２１，２２，２３，２４のいずれかが操作されるまでｓ１ないしｓ７をループする。つぎにｓ９ではカード挿排口２９へのカード１の挿入有無が、カード挿入検出スイッチ２７に基いて判定され（図８および図１０のア参照）、カード１が挿入されていると判定された場合、ｓ１０でＢＢ制御回路１８は取込信号を発生させる（図８および図１０のイ参照）。これによりカード搬送装置６は、上記ｓ９でカード挿排口２９に挿入されたカード１を読込・書込可能な位置に搬送する。
　【００２４】
　そしてカード待機検出スイッチ２８は、カード１が読込・書込可能な位置に待機したとき、待機検出信号を発生させてＢＢ制御回路１８に入力すると同時に（図８および図１０のウ参照）、上記ｓ１０で発生させた取込信号の発生を停止する（図８および図１０のエ参照）。他方ｓ９でカード挿排口２９にカード１が挿入されていないと判定された場合、カード挿排口２９にカード１が挿入されるまでｓ９をループする。しかるのちｓ１１で、カードデータリードライト装置７はカード１の書込部２に書き込まれている遊技情報を読み取るとともに該遊技情報を上記メモリに格納し（図８および図１０のオ参照）、該遊技情報に基いてセキュリティチェックが実行される（ｓ１２）。このｓ１２におけるセキュリティチェックで、遊技情報に不都合があった場合には後述するｓ４３にジャンプする一方、遊技情報が良好であると判定された場合、ＢＢ制御回路１８は遊技球貸出可能信号を発生させ、かつ、残度数表示器２５には残度数が表示されたのちｓ１３が実行される。ｓ１３では遊技情報のうち貸出可能金額データの残度数の有無が判定され、この残度数がないと判定された場合には後述するｓ４２にジャンプする一方、残度数があると判定された場合には該残度数データが残度数表示器２５に表示されたのち（図８および図１０のカ参照）、図６に示したｓ１４が実行される。ｓ１４では遊技検出信号の出力有無に基いて遊技中いいかえれば遊技者がハンドル４１を操作しているか否かが判定される。
　【００２５】
　そしてパチンコ機制御回路３０が図９および図１１のハに示すように、タッチ信号を発生していない（すなわちＬ信号を出力している）場合、すでに上記ｓ１０で待機検出信号が発生されてＢＢ制御回路１８に入力されているので、ｓ１６において図８および図１０のヒに示すように、ＢＢ制御回路１８はカード忘れアラーム信号を発生させる。これにより表示器１９およびスピーカー２０がドライブされて報知信号を発生させ、こののちｓ１７にジャンプする。他方ｓ１４でハンドルタッチ検出スイッチ３２から遊技検出信号が発生され、この遊技検出信号に基いてパチンコ機制御回路３０からタッチ信号が発生されている場合（図９および図１１のフ参照）、ｓ１５において図８および図１０のヘに示すように、ＢＢ制御回路１８はカード忘れアラーム信号の出力を停止またはカード忘れアラーム信号を出力しない。このため表示器１９およびスピーカー２０が、図８および図１０のヒに示すようにすでにドライブされている場合には上記報知は停止される一方、ドライブされていない場合には上記同様に表示器１９およびスピーカー２０がドライブされることはない。
　【００２６】
　このようにｓ１４ないしｓ１６のステップと、上記ｓ１０におけるカード待機検出スイッチ２８の待機検出信号を発生させるステップとによって、有価カード１をＢＢ１４内に装着したままで遊技者がハンドル４１の操作を中断したときに、ハンドルタッチ検出スイッチ３２から遊技検出信号の発生が中断され、表示器１９およびスピーカー２０が報知信号を発生させるので、遊技者が有価カード１をパチンコ機１５内に放置したまま立ち去ることを防止できる。ついでｓ１７ではカード返却スイッチ２６が操作されているか否かが判定され、図８および図１０のトに示すようにカード返却スイッチ２６が操作されている場合、ｓ３１にジャンプする一方、そうでない場合にはｓ１８において上記球貸記憶が零であるか否かが判定される。そしてｓ１８で球貸記憶が零であると判定された場合、ｓ１９において球貸スイッチ８の操作有無が判定される一方、そうでない場合にはｓ２３にジャンプする。ｓ１９で球貸スイッチ８が操作されていないと判定された場合には上記ｓ１３にジャンプする一方、操作されていると判定された場合（図８および図１０のキ参照）、ｓ２０が実行される。
　【００２７】
　ｓ２０においては、上記メモリに書き込まれている残度数（または貸出可能金額）が、上記ｓ７で５００円モードスイッチ２４の操作により設定された設定モード金額（５００円）よりも小さいか否かが判定され、上記残度数が上記設定モード金額よりも小さい場合、ｓ２１が実行される一方、同残度数が設定モード金額以上であるときにｓ２２にジャンプする。そしてｓ２１で、ＢＢ制御回路１８は上記メモリに書き込まれている貸出金額の１００円に対する商を演算し、この演算値は図示を省略した上記メモリに球貸記憶として格納されるとともに（図８および図１０のク参照）、上記球貸記憶に基いて残度数すなわち貸出可能金額データの総額に対応する遊技球数が表わされた球貸信号を発生させてパチンコ機制御回路３０に入力する。そしてパチンコ機制御回路３０は球貸信号の発生に基いて貸出可能金額データの総額に相当する貸出用遊技球を排出制御するので、残度数が設定モード金額に達していない場合にあっても、上記商に基いて所定数の遊技球を遊技者に貸し出すことができる。
　【００２８】
　他方、ｓ２２では上記メモリに書き込まれている貸出金額の１００円に対する商が演算され、この演算値は球貸記憶として上記メモリにセットされる（図８および図１０のク参照）。本実施例では設定モード金額が５００円に定めてあるので、その商は「５」になる。上記ｓ２１またはｓ２２が実行されると、つぎにｓ２３においてパチンコ機制御回路３０から発生されるＢＵＳＹ信号の立ち上がりがＢＢ制御回路１８によって検出されたか否かが判定される。そして図９および図１１のサに示すようにＢＵＳＹ信号の立ち上がりが検出された場合、ｓ２４で球貸スイッチ８の操作に基くＢＢ制御回路１８からの球貸信号の発生を停止させ（図９および図１１のホ参照）、ｓ１３にジャンプする。他方ｓ２３においてＢＵＳＹ信号の立ち上がりが検出されない場合にはｓ２５にジャンプして、ＢＵＳＹ信号の立ち下がりがＢＢ制御回路１８によって検出されたか否かが判定される。そしてｓ２５で図９および図１１のセに示すようにＢＵＳＹ信号の立ち下がりが検出された場合、ｓ２６では上記メモリに格納されている球貸記憶の値から「１」を減算する（図８および図１０のチ参照）。他方、ｓ２５でＢＵＳＹ信号の立ち下がりが検出されない場合にはｓ２９でＢＵＳＹ信号が出力されているか否かが判定される。
　【００２９】
　ついでｓ２７にあっては上記メモリに格納されている残度数から所定度数（本実施例では１度＝１００円）が図８および図１０のツに示すように減算処理される。つぎにｓ２８において図示を省略した（プリペイド）カードの決済機関および管理装置１６に売上金額を表す売上信号が入力され（図８および図１０のタ参照）、こののちｓ１３にジャンプする。ｓ２９でＢＵＳＹ信号が出力されている場合にはｓ１３にジャンプし、そうでない場合にはｓ３０において図９のケ、図１１のケ、図９のテおよび図１１のテに示すように、球貸信号が出力されたのちｓ１３にジャンプする。また上述したｓ１７においてカード返却スイッチ２６が操作されていると判定されると、ｓ３１にジャンプして上記カード返却保証タイマに時間Ｔ３がセット・スタートされる。そしてｓ３２において球貸信号の出力有無が判定され、球貸信号の出力がないと判定されたときにはｓ３４にジャンプする。他方、球貸信号の出力があると判定されたときにはｓ３３において、図８および図１０のナに示すように球貸信号の出力が停止される。上記ｓ３１におけるカード返却保証タイマの時間Ｔ３に係る計測は、ＢＢ制御回路１８およびパチンコ機制御回路３０間における信号の授受に係るタイミングを図るためのもので、球貸信号が発生しているときにカード返却スイッチ１２が操作されたとき、ｓ３３で球貸信号の出力をカード返却保証タイマがタイムアップするまで停止させることにより、球貸スイッチ８を操作したにもかかわらず、上記メモリ内に格納されている残度数に減算処理が施される以前にカード１がカード挿排口２９から遊技者に返却されることを防止するためのものである。
　【００３０】
　つぎに図７のｓ３４にあっては、ＢＵＳＹ信号の立ち下がりがＢＢ制御回路１８によって検出されたか否かが判定される。そして図１３マに示すようにＢＵＳＹ信号の立ち下がりが検出された場合、ｓ３５にジャンプして球貸記憶数から「１」が減算処理されたのち（図１２のミ参照）、ｓ３６において残度数が減算処理され（図１２のム参照）、ｓ３７において上記売上信号が上記カードの決済機関および管理装置１６に入力されたのち（図１３のメ参照）、ｓ３９にジャンプする。他方、上記ｓ３４においてＢＵＳＹ信号の立ち下がりが検出されない場合、ｓ３８にジャンプしてＢＵＳＹ信号がパチンコ機制御回路３０から出力されているか否かが判定される。そしてＢＵＳＹ信号が出力されていると判定された場合にはｓ３４にジャンプする一方、そうでない場合にはｓ３９にジャンプする。ｓ３９では上述したｓ３１においてセット・スタートされた上記カード返却タイマが、タイムアップ済であるか否かが判定され、タイムアップ済であると判定された場合にはｓ４０が実行される一方、そうでない場合にはｓ３４にジャンプする。ｓ４０では球貸記憶の残数が「０」であるか否かが判定され、球貸記憶の残数が「０」であると判定された場合にはｓ４２にジャンプする一方、そうでない場合にはｓ４１において球貸記憶の残数を「０」すなわちクリアする（図８のニ、図１０のニおよび図１２モ参照）。
　【００３１】
　ついでｓ４２において、ＢＢ制御回路１８はカードリーダーライター１７によってカード１に残度数を含む遊技情報を書き込む（図８のヌ、図１０のヌおよび図１２のヤ参照）。該カード１への遊技情報の書き込みが終了すると、ｓ４３において該カード１はカード搬送装置６によってカード挿排口２９に排出される。（図８のネ、図１０のネおよび図１２のユ参照）。そして、この搬送装置６は、カード挿入検出スイッチ２７がカード１の検知によって、一旦ＯＮされたのちＯＦＦされるまでＢＢ制御回路１８によって駆動される（図８のノ、図１０のノおよび図１２のヨ参照）。やがて搬送装置６の動作が停止されると、ｓ４４においてカード忘れアラーム信号が出力されているか否かが判定される。そしてカード忘れアラーム信号が出力されていないと判定された場合には、ｓ４５でカード１が排出された旨を表示するためにカード忘れアラーム信号が出力されたのちにｓ４６が実行される一方、そうでない場合にはｓ４６にジャンプする。
　【００３２】
　ついでｓ４６においてカード忘れアラーム信号の出力時間を決定するカード忘れアラームタイマをセット・スタートさせたのち（図７のラ、図９のラおよび図１２のラ参照）、ｓ４７において上記ｓ４６でスタートさせたカード忘れアラームタイマがタイムアップしたか否かが判定される。そしてｓ４７をループしながらカード忘れアラームタイマのタイムアップを待ち、カード忘れアラームタイマがタイムアップしたと判定された場合、ｓ４８においてカード忘れアラーム信号の出力を停止する（図７のリ、図９のリおよび図１２のリ参照）。つぎにパチンコ機１５の処理いいかえればパチンコ機制御回路３０が実行する命令についてを図１４および図１５に基いて以下に説明する。まず図１４のｓ１０１においてパチンコ機制御回路３０は、貸球賞球排出装置１１が遊技球の排出準備を完了させているか否かを図９および図１１のコに示した排出準備信号に基いて判定し、排出準備を完了させていると判定された場合にはｓ１０２が実行される一方、そうでない場合には上記ｓ１０１にジャンプする。ｓ１０２ではＢＢ制御回路１８から球貸信号が出力されているか否かが判定され（図９および図１１のケ参照）、球貸信号が出力されていると判定された場合にｓ１０３において図９および図１１のサに示すようにＢＵＳＹ信号を出力させる一方、そうでない場合にはｓ１０８にジャンプする。
　【００３３】
　つぎにｓ１０４では貸球賞球排出装置１１を駆動することにより貸球の排出処理が行われ、該排出処理の実行を表わす排出動作信号が出力される（図９および図１１のシ参照）。つづいてｓ１０５では、上記ｓ１０４における排出処理動作が終了したか否かが、上記ｓ１０４で出力されている排出動作信号の立ち下がりに基いて判定される（図９および図１１のス参照）。そして排出処理動作が終了したと判定された場合、ｓ１０６で上記ｓ１０３において出力させたＢＵＳＹ信号が出力停止される一方（図９および図１１のセ参照）、排出処理動作は終了していないと判定された場合には上記ｓ１０４にジャンプする。つぎにｓ１０７において図９および図１１のソに示すように売上信号が発生されて管理装置１６に入力される。上記ｓ１０８では、球発射装置１３によって遊技盤３６に発射された遊技球の入賞有無が判定され、遊技球が入賞したと判定された場合、ｓ１０９で賞品球が貸球賞球排出装置１１によって排出処理される一方、そうでない場合には上記ｓ１０１にジャンプする。そしてｓ１１０においては上記ｓ１０９における賞品球の排出処理の完了有無が完了したか否かが判定され、排出処理が完了したと判定された場合には上記ｓ１０１にジャンプする一方、そうでない場合には上記ｓ１０９にジャンプする。
　【００３４】また図１４に示したパチンコ機制御回路３０のメイン処理では、所定時間が経過する毎に図１５の割込処理を実行することにより、遊技可能状態が形成されているか否かをパチンコ機制御回路３０によって常時判定している。まずｓ２０１では遊技者がハンドル４１に接触しているか否かが遊技検出信号の発生有無いいかえれば遊技者の静電容量の変動に基いて判定され、ハンドル４１に接触していると判定された場合、ｓ２０２において図９および図１１のフに示すようにタッチ信号が発生される一方、そうでない場合にはｓ２０３においてタッチ信号の出力は禁止される（図９および図１１のハ参照）。これによりＢＢ１４はタッチ信号の有無により遊技状態であるか否かを判定できることから、カード待機検出スイッチ２８によるカード１の有無の判定に基いて、遊技終了時に有価カード１がＢＢ１４に装着されていることを検知したときに報知手段１９，２０をドライブさせることができ、かつ、カード搬送装置６をドライブしてカード１の排出位置に搬送させることができる。
　【００３５】
　【発明の効果】本発明は上記のように構成したので、パチンコ機制御回路及びカード制御回路間の信号のやり取りを行い、貸出可能金額データが設定モード金額よりも少ない場合であっても、カード制御回路が貸出可能金額データの総額に対応する球貸信号を発生させるので、パチンコ機制御回路は貸出可能金額データの総額に対応する数量の貸出用遊技媒体を排出制御することができる。これにより新たなカードを追加することなく、貸出可能金額データの総額に相当する遊技媒体の貸し出しを受けることによってパチンコ遊技を継続でき、遊技媒体の補給時に貸出可能金額データが設定モード金額よりも少なく、しかも遊技者にとって有利な権利が発生した場合であっても、新たなカードの貸与などの遊技の中断に起因して上記権利を消滅させることが防止される。
【図面の簡単な説明】
　【図１】本発明の装置の構成を示すブロック図である。
　【図２】図１のパチンコ機および装着部を示す正面図である。
　【図３】図２のパチンコ機および装着部を示す背面図である。
　【図４】図２のパチンコ機および装着部から発生される信号のタイミングの一部を表わす図である。
　【図５】図１のＢＢ制御回路によって実行される命令の一部を示す流れ図である。
　【図６】図５の他部を示す流れ図である。
　【図７】図６の他部を示す流れ図である。
　【図８】図４の他部を表わす図である。
　【図９】図８の他部を示す図である。
　【図１０】図８と異る例を示す図である。
　【図１１】図１０の他部を示す図である。
　【図１２】図１０と異る例を示す図である。
　【図１３】図１２の他部を示す図である。
　【図１４】図１のパチンコ機制御回路によって実行される命令の一部を示す流れ図である。
　【図１５】図１４の他部を示す図である。
　【図１６】図１の装着部およびパチンコ機を動作させるカードを示す平面図である。
　【図１７】従来例を示すブロック図である。
　【符号の説明】
　１　カード
　２　書込部
　８　球貸スイッチ（貸出スイッチ）
　１５　パチンコ機
　１８　ＢＢ制御回路（カード制御回路）
　３０　パチンコ機制御回路